(57)【要約】【課題】  ポケット形成タイプの食事用エプロンにあって、ポケット形成操作が簡単で、加えてポケット脇開口から内容物がこぼれ難く、且つこの作用が殆ど衰えないものを提供することを目的とする。【解決手段】  本体シート１５の左／右側縁１３近傍に、上から順に第１雌部材１１ｆ、第２雌部材１２ｆ、第２雄部材１２ｍ、第１雄部材１１ｍを配置する。第１雌部材１１ｆから第２雌部材１２ｆまでの高さ方向の距離Ｔｆが、第２雄部材１２ｍから第１雄部材１１ｍの距離Ｔｍよりも長い。第１雄部材１１ｍと第１雌部材１１ｆを係合させることによって形成されるポケット脇開口１９縁が、第２雄部材１２ｍと第２雌部材１２ｆを係合することによりたくし上げられ、脇開口１９から内容物がこぼれ難くなる。【選択図】      図３
2006089854.tif 000002
【特許請求の範囲】
【請求項１】
エプロン本体シートの左側縁近傍と右側縁近傍にそれぞれ高さ方向に離間した着脱自在の合着部材対を設け、左側同士及び右側同士で該合着部材対を合着し合うことでエプロン前面にポケットを形成する食事用エプロンにおいて、
前記合着部材対を第１の合着部材対としたとき、
該左右の各第１の合着部材対の間に着脱自在の第２の合着部材対をそれぞれ高さ方向に離間して設け、
左側同士および右側同士で見たとき、該第２の合着部材対の一方から前記第１の合着部材対の一方までの高さ方向の距離と、該第２の合着部材対の他方から前記第１の合着部材対の他方までの高さ方向の距離とが異なるものであり、
前記左右の各第１の合着部材対同士を合着させることによって形成されるポケット脇開口縁の底部が、前記左右の各第２の合着部材対同士を合着させることによりたくし上げられることを特徴とする食事用エプロン。
【請求項２】
エプロン本体シートの左側縁近傍と右側縁近傍にそれぞれ高さ方向に離間した着脱自在の合着部材対を設け、左側同士及び右側同士で該合着部材対を合着し合うことでエプロン前面にポケットを形成する食事用エプロンにおいて、
前記合着部材対を第１の合着部材対としたとき、
該左右の各第１の合着部材対の間に着脱自在の第２の合着部材対をそれぞれ横方向に離間して設け、
前記左右の各第１の合着部材対同士を合着させることによって形成されるポケット脇開口縁の底部が、前記左右の各第２の合着部材対同士を合着させることによりたくし上げられることを特徴とする食事用エプロン。
【請求項３】
前記左右の各第１の合着部材対のうち高位置に設けられる方が、エプロン正中線寄りに位置し、
前記左右の各第２の合着部材対が高さ方向に離間して設けられると共に、このうち高位置に設けられる方が、エプロン正中線寄りに位置する請求項１または２に記載の食事用エプロン。
【発明の詳細な説明】
【技術分野】
【０００１】
本発明は、介護が必要なお年寄りや乳幼児等（以下、被介護者と称することがある）が食事をする際や歯磨き等の口腔ケアをする際などに用いる食事用エプロンに関するものである。
【背景技術】
【０００２】
被介護者はしばしば食べこぼしをする心配があるので、衣服が汚れない様にする為、予めエプロンをして食事を取ることが一般に行われている。この食事用エプロンとしては、食べこぼした物を受け止めることのできるポケット付きのものが好んで用いられているが、ポケット内の隅に溜まった食物は、洗濯してもなかなか取り除けず、不衛生となる懸念がある。
【０００３】
そこで従来では、平面状のシートを用い、エプロン使用時には該シートを折り返して着脱自在に止めることでポケットを形成し、使用後にはこれを外して平面状シートに戻して、即ちポケットの隅を開放した状態に戻して洗濯するという構成の食事用エプロンが提案されている。尚以下、こういった形式のものをポケット形成タイプと称することがある。
【０００４】
図４は従来のポケット形成タイプの食事用エプロンの一例を示す図であり、（ａ）は展開状態の正面図で、（ｂ）はポケットを形成した状態の斜視図である。該食事用エプロン６０は本体シート６１の中程における左右両側に一対の合着部材６２ａ，６２ｂが設けられ、且つこれら合着部材６２ａ，６２ｂ間のシート側縁６１ａにゴムバンド６４が設けられたものであり、上記合着部材６２ａ，６２ｂを止めることでポケット６５が形成されると共に、ゴムバンド６４の収縮力によって側縁６１ａが持ち上がり、ポケット６５の内容物が脇からこぼれ出ない様になっている（従来例(1)：例えば特許文献１参照）。
【０００５】
また図５はポケット形成タイプの食事用エプロンの他の例を示す正面図であり、その（ａ）〜（ｄ）はポケットの形成手法を順次画いたものである。ポケットの形成にあたっては先ず本体シート７１の下方部分７１ａを上側に折り返し（図５（ａ），（ｂ））、続いて左右の下端部分７３をそれぞれ三角形に折り返し（図５（ｃ），（ｄ））、図６［三角形折返し部分において係止具を止める様子を表す拡大斜視図］に示す様に貫通孔７７を通して雄型係止具７６を雌型係止具７５に止める。この様に左／右下端部分７３を折り返すことで、ポケット７２の脇開口７４が閉じられることとなり、内容物が脇からこぼれない（従来例(2)：例えば特許文献２参照）。
【特許文献１】実用新案登録第３０８８４１８号公報（実用新案登録請求の範囲、図１，２）
【特許文献２】特開２００２−８８５３３号公報（段落〔００１６〕，〔００２０〕、図１〜４）
【発明の開示】
【発明が解決しようとする課題】
【０００６】
ところで殊に介護施設等では、衛生面から洗濯物については塩素消毒を行い、また約８０℃といった高温で洗濯するのが通常であるところ、上記従来例(1)において使用しているゴムバンド６４は、この様な洗濯時の高温や塩素消毒によって傷み易く、従って早い段階でゴムバンド６４部分が収縮しなくなって側縁６１ａが十分に持ち上げられず、ポケット６５の脇からこぼれる事態に至るという問題がある。
【０００７】
また上記従来例(2)では、上記の様なゴムの劣化による脇からのこぼれといった問題はないものの、ポケット形成に際して雄型係止具７６，貫通孔７７，雌型係止具７５といった３つの箇所を同時に合わせて係止しなければならず、操作性に劣る。特に目が悪くなり細かな作業がし辛くなっている被介護者では、上記の様な操作を行うことは非常に困難であり、その結果介護者が係止操作を行うことになり、被介護者の自立の観点から望ましくない。
【０００８】
そこで本発明は以上の様な事情に着目してなされたものであり、その目的は、ポケット形成タイプの食事用エプロンであって、洗濯を繰り返してもポケットの内容物が脇からこぼれるという事態に至ることが殆どなく、且つポケットの形成操作が容易な食事用エプロンを提供することにある。
【課題を解決するための手段】
【０００９】
本発明に係る食事用エプロンは、エプロン本体シートの左側縁近傍と右側縁近傍にそれぞれ高さ方向に離間した着脱自在の合着部材対を設け、左側同士及び右側同士で該合着部材対を合着し合うことでエプロン前面にポケットを形成する食事用エプロンにおいて、前記合着部材対を第１の合着部材対としたとき、該左右の各第１の合着部材対の間に着脱自在の第２の合着部材対をそれぞれ高さ方向に離間して設け、左側同士および右側同士で見たとき、該第２の合着部材対の一方から前記第１の合着部材対の一方までの高さ方向の距離と、該第２の合着部材対の他方から前記第１の合着部材対の他方までの高さ方向の距離とが異なるものであり、前記左右の各第１の合着部材対同士を合着させることによって形成されるポケット脇開口縁の底部が、前記左右の各第２の合着部材対同士を合着させることによりたくし上げられることを特徴とする。尚上記第１，２の合着部材対としては、鳩目ホックといったホック類等が挙げられる。
【００１０】
第１の合着部材対を取り付けただけであると、ポケット中央の深さと同じ深さ、つまり第１の合着部材対の一方から他方までの距離を二分した深さでポケット脇開口が形成されることになるが、本発明では上記の如くこの第１の合着部材対の間に第２の合着部材対が上下に離間して設けられ、この位置として「第２の合着部材の一方〜第１の合着部材対の一方」と「第２の合着部材の他方〜第１の合着部材対の他方」の高さ方向の距離が異なるから、この距離の長い方のシート部分が距離の短い方のシート部分に引っ張られる様にしてたくし上げられ、これによりポケット脇開口縁の底部が上方に引き上げられ、ポケット脇から内容物がこぼれ出難くなる。
【００１１】
そしてポケットを形成する操作としては、先ず第２の合着部材対の一方と他方を合わせてこれらを取り付け、次に第１の合着部材対の一方と他方を合わせてこれらを取り付けるという様に、順番に行えば良く、一つ一つの取付操作としては２つの部材を合わせるだけであって簡単であり、ポケット形成操作全体としても簡単である。
【００１２】
しかもゴム等を用いていないから、従来例(1)の様にゴムが伸びきって脇開口縁を持ち上げられなくなるということがなく、洗濯耐久性に優れ、いつまでもポケット脇開口縁をしっかりとたくし上げることができる。
【００１３】
或いは本発明に係る食事用エプロンは、エプロン本体シートの左側縁近傍と右側縁近傍にそれぞれ高さ方向に離間した着脱自在の合着部材対を設け、左側同士及び右側同士で該合着部材対を合着し合うことでエプロン前面にポケットを形成する食事用エプロンにおいて、前記合着部材対を第１の合着部材対としたとき、該左右の各第１の合着部材対の間に着脱自在の第２の合着部材対をそれぞれ横方向に離間して設け、前記左右の各第１の合着部材対同士を合着させることによって形成されるポケット脇開口縁の底部が、前記左右の各第２の合着部材対同士を合着させることによりたくし上げられることを特徴とする。
【００１４】
この本発明の場合では、第１の合着部材対の間に第２の合着部材対が横方向（左右方向）に離間して設けられているから、脇側に位置する第２の合着部材対の一方が、正中線側に位置する第２の合着部材対の他方に引き寄せられ、これに伴ってポケット脇開口縁の底部が引き上げられることになり、ポケット脇から内容物がこぼれ出難くなる。そして上述と同様に、このポケット形成操作としては第１，２の合着部材対の合着を順番に行えば良く、そしてこの一つ一つの操作は簡単であるから、ポケット形成操作全体としても簡単である。加えて洗濯耐久性に優れ、いつまでもポケット脇開口縁をしっかりとたくし上げることができる。
【００１５】
加えて本発明において、前記左右の各第１の合着部材対のうち高位置に設けられる方が、エプロン正中線寄りに位置し、前記左右の各第２の合着部材対が高さ方向に離間して設けられると共に、このうち高位置に設けられる方が、エプロン正中線寄りに位置することが好ましい。
【００１６】
第１，２の合着部材対の一方（以下、一方部材と称することがある）がその他方（以下、他方部材と称することがある）よりも高い位置で且つ正中線寄りに位置するとした場合、エプロン左／右の第１の合着部材対の一方部材同士の間の長さよりも、エプロン左／右の第１の合着部材対の他方同士の間の長さの方が長く、また同様にエプロン左／右の第２の合着部材対の一方部材同士の間の長さよりも、エプロン左／右の第２の合着部材対の他方部材同士の間の長さの方が長くなるので、これら一方部材と他方部材を合着させたときに上記長さの差の分だけ撓んでポケット上方開口（ポケット入り口開口）を大きく開けることができ、食べこぼした物を受け易い。しかも下側に位置する左／右の第１，２の合着部材対の他方部材間の方が長く、これが折り上げられてポケット上方開口を形成するものであるから、上記撓みは前方に向かって形成され、一層食べこぼした物を受け易い。
【発明の効果】
【００１７】
本発明に係る食事用エプロンによれば、第１の合着部材対によってポケットを形成しつつ、第２の合着部材対によってポケット脇開口縁をたくし上げる様にしているから、ポケット脇開口からポケット内容物がこぼれ難く、しかも洗濯を繰り返してもそのたくし上げる作用に衰えを生じず、長期間の使用が可能であることに加えて、ポケット形成にあたっての操作が簡単である。
【発明を実施するための最良の形態】
【００１８】
図１は本発明の一実施形態に係る食事用エプロン１０を示す正面図であって、ポケットを形成していない状態を表す。図２はこの食事用エプロン１０においてポケットを形成した状態を表す斜視図であり、図３はこのポケットを形成した状態の側面からの部分拡大図である。
【００１９】
食事用エプロン１０のエプロン本体シート１５はポリエステル製織物からなり、その織目は積んでおり、液体が透過しない（或いは殆ど透過しない）ものとなっている。
【００２０】
本体シート１５の左／右側縁１３近傍には、ポリアセタール製の第１，２の鳩目ホック（第１，２の合着部材対）が設けられており、これらは上から順に第１の鳩目ホックの雌部材（以下、第１雌部材と称することがある）１１ｆ、第２の鳩目ホックの雌部材（以下、第２雌部材と称することがある）１２ｆ、第２の鳩目ホックの雄部材（以下、第２雄部材と称することがある）１２ｍ、第１の鳩目ホックの雄部材（以下、第１雄部材と称することがある）１１ｍという様に配置されている。そして第１雌部材１１ｆから第２雌部材１２ｆまでの高さ方向の距離Ｔｆが、第２雄部材１２ｍから第１雄部材１１ｍの距離Ｔｍよりも長くなっている。
【００２１】
またこれらの横方向の位置関係としては、第１の鳩目ホックのうち下側に位置する第１雄部材１１ｍが左／右側縁１３の間近に位置するのに対し、上側に位置する第１雌部材１１ｆはやや中央寄り（正中線寄り）に設けられ、また第２の鳩目ホックの場合も下側の第２雄部材１２ｍよりも上側の第２雌部材１２ｆの方がやや中央寄り（正中線寄り）に設けられている。更に第２雄部材１２ｍが第１雄部材１１ｍよりも中央寄りに位置し、第２雌部材１２ｆが第１雌部材１１ｆよりも中央寄りに位置し、即ち全体的に見ると第１の鳩目ホック１１ｍ，１１ｆよりも第２の鳩目ホック１２ｍ，１２ｆの方が中央寄りに位置している。
【００２２】
なお本体シート１５の首回り縁２４から第１雌部材１１ｆまでの高さ方向の長さにより、使用者の口元からポケット入り口（ポケット上方開口）１６までの距離が決まり、第１雌部材１１ｆから第１雄部材１１ｍまでの高さ方向の長さにより、形成されるポケット１８の深さが決まる。
【００２３】
更に、左／右の第１の鳩目ホックの雄部材１１ｍを結ぶ様にしてこれらの間に比較的硬めの可撓性を示す合成樹脂製ワイヤ（或いはチューブ）１４が設けられている。尚この合成樹脂製ワイヤ１４を包む様にパイピング布を配置して、この布上に第１雄部材１１ｍを設けており、この様にして第１雄部材１１ｍが本体シート１５にしっかりと取り付けられる。また第１雌部材１１ｆから第２雌部材１２ｆ，続いて第２雄部材１２ｍに渡って本体シート１５裏面に力布２１が配置されており、これにより部材１１ｆ，１２ｆ，１２ｍがしっかりと取り付けられる。
【００２４】
本体シート１５の上方は、使用者の両肩から首の後に至る取付翼１５ａとなっており、該取付翼１５ａの先部分にそれぞれ一対の面ファスナー１７ｍ，１７ｆが設けられ、これら面ファスナー１７ｍ，１７ｆを係合させることにより、食事用エプロン１０を使用者が着用できる様になっている。また本体シート１５のうちの合成樹脂製ワイヤ１４よりも下の下側部１５ｅは、使用者の膝上を覆ったり、或いは周りを汚さない様に食事用トレーの下に敷いたりして用いる部分である。尚この下側部１５ｅの無い食事用エプロンとしても良い。
【００２５】
該食事用エプロン１０のポケットの形成にあたっては、先ず第２雄部材１２ｍと第２雌部材１２ｆを係合（合着）し、次に第１雄部材１１ｍと第１雌部材１１ｆを係合（合着）する。これを左右それぞれ行うことでポケット１８が形成される。
【００２６】
該ポケット１８は大きくは第１雄部材１１ｍと第１雌部材１１ｆの係合によって形成される訳であるが、そのポケット１８内において第２雄部材１２ｍと第２雌部材１２ｆが係合されているから、これら第２雄／雌部材１２ｍ，１２ｆの間（図において符号「１５ｃ」を付したシート部分）で撓みを作ることに加えて、ＴｆよりもＴｍが長いから、第１雌部材１１ｆから第２雄部材１２ｍの間のシート１５ｃ，１５ｄが、第１雄部材１１ｍと第２雄部材１２ｍの間（Ｔｍ部分）のシート１５ｂによって引っ張られる様にしてたくし上げられ、第１雌部材１１ｆと第２雌部材１２ｆの間（Ｔｆ部分）のシート１５ｄの撓みと、第２雌部材と第２雄部材の間のシート１５ｃの撓みを形成する（図３）。即ち第１雄部材１１ｍと第１雌部材１１ｆの係合だけでは、これら部材１１ｍ，１１ｆ間の距離を二分した位置にポケット脇開口縁の底部１９ｃが位置することになるが、これがたくし上げられ、ポケット脇開口１９の下端点１９ｂとして上記底部１９ｃよりも上方に位置する様になる。尚図３ではこの様子を模式的に表し、２つの撓みを明瞭に形成したものを画いているが、実際にはシート１５自身の硬さによって（或いは更に力布２１の硬さが加わることにより）撓みが明瞭に現れない場合もあるものの、ポケット脇部分においてシート１５がたくし上げられることに変わりはない。
【００２７】
加えて第２雌／雄部材１２ｆ，１２ｍが横方向に離間しており、正中線寄りに位置する左／右の第２雌部材１２ｆ同士の距離の方が、側縁１３寄りに位置する左／右の第２雄部材１２ｍ同士の距離よりも短いので、左右ぞれぞれの第２雌／雄部材１２ｆ，１２ｍを係合したとき、側縁１３寄り第２雄部材１２ｍが正中線寄りの第２雌部材１２ｆに引き寄せられ、これに伴って側縁１３が正中線寄り引き寄せられ、これによってもポケット脇開口１９縁がたくし上げられることとなる。
【００２８】
上記の様にたくし上げられることにより、ポケット脇開口１９の下端点１９ｂが引き上げられ、ポケット１８内の内容物がポケット脇開口１９からこぼれ出難くなる。
【００２９】
更に左／右の第１雄部材１１ｍ間の長さよりも左／右の第１雌部材１１ｆ間の長さが短いから、これらを係合したとき左右の第１雄部材１１ｍ間が撓む様になり、ポケット入り口１６が前方に大きく開く。殊にこの左／右の第１雄部材１１ｍ間には合成樹脂製ワイヤ１４が設けられているから、ポケット入り口１６がしっかりと広く開く様になり、食べこぼした物を受け易くなる。またポケット１８内に位置する第２の鳩目ホックについても、左／右の第２雄部材１２ｍ間の長さよりも左／右の第２雌部材１２ｆ間の長さが短いから、これらを係合したとき左／右の第２雄部材１２ｍ間が撓む様になり、ポケット１８内部を大きく開けることができる。これにより、ポケット１８内への収容量を大きくすることができる。
【００３０】
しかも本実施形態の食事用エプロン１０におけるポケットの形成方法は、上述の様に第２雄部材１２ｍと第２雌部材１２ｆという２つの部材を合わせる様にして係合し、次に第１雄部材１１ｍと第１雌部材１１ｆという２つの部材を合わせる様にして係合するという手法であるから、操作が簡単である。
【００３１】
また第１雄部材１１ｍ，第１雌部材１１ｆ，第２雄部材１２ｍ，第２雌部材１２ｆはいずれもポリアセタール製であるから、塩素消毒や約８０℃での洗濯に対して十分な耐久性を示す。従って長期にわたってポケット脇開口１９をたくし上げる作用が損なわれない。
【００３２】
以上、本発明に係る食事用エプロンに関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００３３】
例えば上記実施形態では第１，２雄／雌部材１１ｍ，１１ｆ，１２ｍ，１２ｆの素材としてポリアセタールを挙げたが、これに限るものではなく、他のエンジニアリングプラスチックや、真鍮の様に耐薬品性に優れた金属等であっても良く、この場合も上記と同様に耐久性に優れる。
【００３４】
また第１，２の合着部材対としては鳩目ホックに限らず、ボタン等であっても良い。但し面ファスナーの場合は、この雄型／雌型係合部材の係合を外して洗濯すると、その雄型係合部材（フック型係合部材、茸型係合部材等）が他の衣類に引っ掛かり、該衣類を傷める虞がある上、雄型係合部材自身の係合力も低下する虞があることから、推奨されない。尤も面ファスナーを係合したまま洗濯するとこの様な虞は殆ど無くなるものの、ポケットの隅に残った食物等を洗浄しきれない懸念があることから、ポケット形成タイプ食事用エプロンの本来の目的が損なわれる。
【００３５】
加えて上記実施形態では第２の鳩目ホック（第２雌／雄部材１２ｆ，１２ｍ）を高さ方向（上下方向）及び横方向（左右方向）に離間したものを示したが、これに限らず、例えば高さ方向にのみ離間させたものであっても良い。
【００３６】
また上記実施形態では第１雌部材１１ｆから第２雌部材１２ｆまでの高さ方向の距離Ｔｆの方が、第２雄部材１２ｍから第１雄部材１１ｍの距離Ｔｍよりも長いものを示したが、Ｔｍの方がＴｆよりも長くなる様に第２雌／雄部材１２ｆ，１２ｍを配置しても良い。尚上記実施形態では、特許請求の範囲の請求項１で言うところの「第２の合着部材対の一方から第１の合着部材対の一方までの高さ方向の距離と、第２の合着部材対の他方から第１の合着部材対の他方までの高さ方向の距離とが異なる」という点に関して、上記第２の合着部材対の一方を第２雌部材１２ｆ、上記第１の合着部材対の一方を第１雌部材１１ｆと捉えてこれらの高さ方向の距離をＴｆとし、上記第２の合着部材対の他方を第２雄部材１２ｍ、上記第１の合着部材対の他方を第１雄部材１１ｍと捉えてこれらの高さ方向の距離をＴｍとしてこれらの距離が異なると説明したが、第２の合着部材対の一方を第２雄部材１２ｍ、第１の合着部材対の一方を第１雌部材１１ｆと捉えてこれらの高さ方向の距離と、第２の合着部材対の他方を第２雌部材１２ｆ、第１の合着部材対の他方を第１雄部材１１ｍと捉えてこれらの高さ方向の距離とを比較しても意味は同じである。
【図面の簡単な説明】
【００３７】
【図１】本発明の一実施形態に係る食事用エプロンを示す正面図（ポケットを形成していない状態）である。
【図２】図１に示す食事用エプロンにおいてポケットを形成した状態を表す斜視図である。
【図３】図１に示す食事用エプロンにおいてポケットを形成した状態の側面からの部分拡大図である。
【図４】従来例(1)のポケット形成タイプの食事用エプロンを示す図である。
【図５】従来例(2)のポケット形成タイプの食事用エプロンを示す正面図であり、（ａ）〜（ｄ）はポケットの形成手法を順次画いたものである。
【図６】従来例(2)のポケット形成タイプの食事用エプロンにおける三角形折返し部分の係止具を止める様子を表す拡大斜視図である。
【符号の説明】
【００３８】
１０  食事用エプロン
１１ｆ  第１雌部材
１１ｍ  第１雄部材
１２ｆ  第２雌部材
１２ｍ  第２雄部材
１３  左側縁，右側縁
１５  エプロン本体シート
１８  ポケット
１９  ポケット脇開口
【図１】
2006089854.tif 000003
【図２】
2006089854.tif 000004
【図３】
2006089854.tif 000005
【図４】
2006089854.tif 000006
【図５】
2006089854.tif 000007
【図６】
2006089854.tif 000008